(57)【要約】【課題】洗浄ノズルの外表面に噴出口とは別に空気の取入れ口を設けたものにおいて、前記取入れ口に汚物が付着するのを防止することができる局部洗浄装置を提供する。【解決手段】洗浄ノズル１１内の流水路２の下流端に温水を人体局部へ噴出する噴出口２０を設けると共に、前記流水路２内に空気を取り入れるための取入れ口３０を洗浄ノズル１１の外表面に設けた局部洗浄装置である。洗浄ノズル１１の取入れ口３０の近傍に人体局部から飛散する汚物が取入れ口３０に付着するのを防止する噴出口２０側が外方に突出した庇部４を設けた。【選択図】        図１
2004353206.tif 000002
【特許請求の範囲】
【請求項１】
洗浄ノズル内の流水路の下流端に温水を人体局部へ噴出する噴出口を設けると共に、前記流水路内に空気を取り入れるための取入れ口を洗浄ノズルの外表面に設けた局部洗浄装置において、洗浄ノズルの取入れ口の近傍に人体局部から飛散する汚物が取入れ口に付着するのを防止する噴出口側が外方に突出した庇部を設けて成ることを特徴とする局部洗浄装置。
【請求項２】
洗浄ノズルの上面に噴出口を設けると共に、洗浄ノズルの側縦面に取入れ口を設けて成ることを特徴とする請求項１記載の局部洗浄装置。
【請求項３】
洗浄ノズルの取入れ口を設けた面から突出する庇部としての側壁面と前記取入れ口を設けた面とが為す角度を鋭角として成ることを特徴とする請求項２記載の局部洗浄装置。
【請求項４】
取入れ口を設ける洗浄ノズルの側縦面に凹み部を形成して該凹み部の底面に取入れ口を形成することで前記凹み部の上側端部の側壁を庇部とし、前記凹み部の下側端部に下方へ行く程該凹み部の底面から洗浄ノズルの側縦面に近付く斜面部を形成して成ることを特徴とする請求項３記載の局部洗浄装置。
【請求項５】
庇部から噴出口と反対側に向けて取入れ口を越えて突出する保護突起部を設けて成ることを特徴とする請求項１乃至４記載の局部洗浄装置。
【発明の詳細な説明】
【０００１】
【発明の属する技術分野】
本発明は、人体局部を洗浄するための局部洗浄装置に関するものである。
【０００２】
【従来の技術】
従来より、温水を人体局部へ噴出する洗浄ノズルを具備した局部洗浄装置として様々なものが利用されており、そのうちの一つとして、洗浄ノズルに噴出口とは別に空気を取り入れるための取入れ口を設けたものが用いられている（例えば特許文献１参照）。
【０００３】
この局部洗浄装置は、図７に示すように、洗浄ノズル１１のノズル先端部６０の上面１１ａに噴出口２０を設けると共に、主経路に空気を取り込むための取入れ口３０を前記ノズル先端部６０の側面１１ｂに設けてあり、これによって、温水が主経路内を流れる際に取入れ口３０を介して空気が温水内に混入され、噴出口２０から噴出される温水の流速が増して人体局部への衝撃圧力が大きくなり、人体局部にマッサージ効果を与えることができる、といった効果が得られるものである。
【０００４】
ところで、このような局部洗浄装置においては、洗浄ノズル１１の噴出口２０から噴出される温水によって人体局部の周辺に付着した汚物を除去するのであるが、前記除去された汚物が落下して洗浄ノズル１１に付着することがあり、特に、洗浄ノズル１１の上述した取入れ口３０に汚物が付着してしまうと、取入れ口３０が閉塞されて主経路に空気が取り入れられなくなるものであった。
【０００５】
【特許文献１】
特開平３−８４５８号公報
【０００６】
【発明が解決しようとする課題】
本発明は上記の点に鑑みてなされたものであり、その目的とするところは、洗浄ノズルの外表面に噴出口とは別に空気の取入れ口を設けたものにおいて、前記取入れ口に汚物が付着するのを防止することができる局部洗浄装置を提供することを課題とするものである。
【０００７】
【課題を解決するための手段】
上記課題を解決するため、請求項１に係る発明にあっては、洗浄ノズル１１内の流水路２の下流端に温水を人体局部へ噴出する噴出口２０を設けると共に、前記流水路２内に空気を取り入れるための取入れ口３０を洗浄ノズル１１の外表面に設けた局部洗浄装置において、洗浄ノズル１１の取入れ口３０の近傍に人体局部から飛散する汚物が取入れ口３０に付着するのを防止する噴出口２０側が外方に突出した庇部４を設けて成ることを特徴とするものである。このような構成とすることで、取入れ口３０に汚物が付着するのを防止することができ、取入れ口３０が閉塞されて主経路に空気が取り入れられなくなるのを防止可能となる。
【０００８】
また、請求項２の発明は、請求項１の発明において、洗浄ノズル１１の上面１１ａに噴出口２０を設けると共に、洗浄ノズル１１の側縦面１１ｂに取入れ口３０を設けて成ることを特徴とするものである。このような構成とすることで、上面１１ａに噴出口２０を設けると共に側面に取入れ口３０を設けた洗浄ノズル１１において庇部４を形成することができる。
【０００９】
また、請求項３の発明は、請求項２の発明において、洗浄ノズル１１の取入れ口３０を設けた面から突出する庇部４としての側壁４１と前記取入れ口３０を設けた面とが為す角度を鋭角として成ることを特徴とするものである。このような構成とすることで、庇部４としての側壁４１に汚物が付着しても汚物が落下して除去され易くなる。
【００１０】
また、請求項４の発明は、請求項３の発明において、取入れ口３０を設ける洗浄ノズル１１の側縦面１１ｂに凹み部４０を形成して該凹み部４０の底面４２に取入れ口３０を形成することで前記凹み部４０の上側端部の側壁４１を庇部４とし、前記凹み部４０の下側端部に下方へ行く程該凹み部４０の底面４２から洗浄ノズル１１の側縦面１１ｂに近付く斜面部４３を形成して成ることを特徴とするものである。このような構成とすることで、取入れ口３０の近傍に付着した汚物が洗い流され易くなる。
【００１１】
また、請求項５の発明は、請求項１乃至４の発明において、庇部４から噴出口２０と反対側に向けて取入れ口３０を越えて突出する保護突起部４４を設けて成ることを特徴とするものである。このような構成とすることで、汚物が取入れ口３０に付着するのをより一層確実に防止することができる。
【００１２】
【発明の実施の形態】
以下、本発明を添付図面に示す実施形態に基づいて説明する。局部洗浄装置は、図４に示すように、装置本体Ｈと便座Ｂ１及び便蓋Ｂ２とで主体が構成される。装置本体Ｈは、便器の上開口の後部に載置固定され、その前側に上下に回動自在となるように便座Ｂ１を軸支してあり、この便座Ｂ１を便器の上開口の周縁部に載置して人体が着座される。なお、便座Ｂ１としては、内部にヒーターを設けた暖房便座Ｂ１であってもよい。
【００１３】
装置本体Ｈは、図示しないが、内部の水経路の上流端部が水道に接続される。水経路には上流側から順に、水経路の開閉を行う給水弁、給水弁から流れてくる水を加温して貯えるためのヒーターを内蔵した温水タンク、水経路内に温水を流すための水ポンプ、水経路の水流量を計測する流量センサー、下流側の端部には温水を人体局部に噴出するためのノズルが配設される。また、装置本体Ｈには、上述した機器を制御するための制御部と、この制御部に制御信号を送信するための操作部Ｈ１が設けてあり、また、便座Ｂ１への着座を検知する着座センサーが設けてある。
【００１４】
ノズルの基本的な構成及び動作について説明する。ノズル１は図５に示すように、お尻を洗浄するお尻洗浄ノズル（以下単に洗浄ノズル１１とする）と、ビデ洗浄ノズル１２と、便器を洗浄する便器洗浄ノズル１３と、これら洗浄ノズル１１とビデ洗浄ノズル１２と便器洗浄ノズル１３を洗浄するノズル洗浄ノズル１４の４個のノズルから構成され、これらは切替え弁１５にて水路の切り替えを行ってそれぞれ使用される。
【００１５】
洗浄ノズル１１は、使用時に装置本体Ｈより前方に突出させるもので、操作部Ｈ１を操作して行う。洗浄ノズル１１は、内部が水の流路となるシリンダ部６１と可動部６２及びその先端に形成されるノズル先端部６０とで主体が構成され、装置本体Ｈに固定されるシリンダ部６１に対して前方に突没自在となるように可動部６２を挿入してある。シリンダ部６１の前方側の端部と可動部６２の後方側の端部とにフランジ部６３がそれぞれ設けてあり、このフランジ部６３間にばね６４を介在させて可動部６２がシリンダ部６１に対して後方にばね６４付勢してある（図６参照）。これにより、洗浄ノズル１１の使用時に、水ポンプにて洗浄ノズル１１に温水を搬送した際にその水圧にて可動部６２のフランジ部６３がばね６４のばね６４力に抗して前方に押され、洗浄ノズル１１の可動部６２が前方に伸びることとなる（図６（ｂ）参照）。そして、使用後に温水の搬送を停止すると、ばね６４の復元力によって可動部６２は再び後方に没入される（図６（ａ）参照）。
【００１６】
洗浄ノズル１１のノズル先端部６０には、内部に温水の主経路２１ａが形成してあると共に、主経路２１ａの両側に、下流側で側方に分流して再び上流側にて合流するフィードバック流路２１ｂが両側にそれぞれ形成してある。そして、主経路２１ａのフィードバック流路２１ｂの合流する部分には、外部と連通する空気穴３１が形成される。空気穴３１は、洗浄ノズル１１内に穿設される空気経路３の主経路２１ａ側の端部であり、空気経路３のもう一方の端部は外表面に形成した取入れ口３０となっている。
【００１７】
フィードバック流路２１ｂの動作について説明する。洗浄ノズル１１のノズル先端部６０の主経路２１ａを流れる水は、その一部がフィードバック流路２１ｂに流入して上流側の合流部分にて合流する。そして、ある時点においては、コアンダ効果によってどちらか一方のフィードバック流路２１ｂの内側壁面に付着した状態で水が流れ、付着した側に曲がった状態で噴出口２０から噴出されることになる。この時、水が付着している側のフィードバック流路２１ｂは流れる水が多くなって閉塞され、反対側のフィードバック流路２１ｂの圧力よりも高くなる。すると、主経路２１ａを流れる水は反対側の低圧のフィードバック流路２１ｂ側の内側壁面に付着するようになって今度は反対側に曲がった状態で噴出されることとなり、このように付着方向が交互に変更されて発振状態となるものである。そして、主経路２１ａに空気穴３１を設けたことで、主経路２１ａを水が流れると空気穴３１から空気を吸入して水に空気が混入され、これによって水の流速が増して衝撃圧力が大きくなり、人体局部にマッサージ効果等を良く与えることができて使用者の満足度の向上が図られる。
【００１８】
次に、洗浄ノズル１１の本発明に係る構成について図１に基づいて説明する。
【００１９】
洗浄ノズル１１は、そのノズル先端部６０が大略矩形の箱状をしたもので、上面１１ａに噴出口２０を設けると共に、一の側縦面１１ｂに取入れ口３０を設けるのであるが、本実施形態では、前記取入れ口３０を設けた側縦面１１ｂには、取入れ口３０を設けた部分およびその周辺を側縦面１１ｂに対して凹んだ凹み部４０とすると共に、この凹み部４０の底面４２に取入れ口３０を設けてある。即ち、凹み部４０の噴出口２０側（即ち上側）の側壁４１が取入れ口３０が形成してある前記底面４２に対して外方に突出する庇部４となっており、これによって、噴出口２０側（上側）から人体局部から除去された汚物が落下しても取入れ口３０に汚物が付着することがない。なお、庇部４は、凹み部４０を設けてその上側の側壁を庇部４とするのではなく、突起を突設して形成してもよい。
【００２０】
また、取入れ口３０を設けた凹み部４０の噴出口２０と反対側（即ち下側）の端部の側壁は、下方へ行く程凹み部４０の底面４２から洗浄ノズル１の側縦面１１ｂに近付く斜面部４３としてある。これにより、洗浄ノズル１の庇部４を目立たなくして外観デザインの向上が図れると共に、取入れ口３０の周辺に汚物が付着しても洗い流しす時にこの傾斜面４３によって付着した汚物を洗い流し易くなる。
【００２１】
次に、他の実施形態について図２に基づいて説明する。なお、上実施形態と共通する部分については説明を省略し、主に異なる部分についてのみ説明する。
【００２２】
本実施形態では、庇部４、即ち、凹み部４０の上側の側壁４１から噴出口２０と反対側（下方）に向けて取入れ口３０を越えて下方に突出する保護突起部４４を設けてある。この保護突起部４４は、取入れ口３０が露出しないように覆い隠す状態で設けられ、保護突起部４４の外面はノズル先端部６０の側縦面１１ｂとほぼ面一となっている。この保護突起部４４により、汚物が取入れ口３０に付着するのをより一層確実に防止することができ、保護突起部４４の外面をノズル先端部６０の側縦面１１ｂと面一として外観を向上させることができる。
【００２３】
また、庇部４となる凹み部４０の上側の側壁４１は、取入れ口３０を設けた凹み部４０の底面４２と鋭角をなすように形成してある。これにより、庇部４、即ち凹み部４０の上側の側壁４１に汚物が付着しても汚物を落下させて除去し易いものである。
【００２４】
次に、更に他の実施形態について図３に基づいて説明する。なお、上実施形態と例と共通する部分については説明を省略し、主に異なる部分についてのみ説明する。
【００２５】
本実施形態では、庇部４、即ち凹み部４０の上側の側壁４１が水平方向よりも下方に傾斜した状態となっている。これにより、取入れ口３０に汚物が付着するのをより一層防止することが可能となる。
【００２６】
【発明の効果】
上記のように本発明にあっては、噴出口側（即ち上側）から汚物が落下しても庇部によって取入れ口に汚物が付着するのを防止することができ、取入れ口が閉塞されて主経路に空気が取り入れられなくなるのを防止することができる。
【図面の簡単な説明】
【図１】本発明の一実施形態の洗浄ノズルを示し、（ａ）は斜め下方から見た斜視図であり、（ｂ）は斜め上方から見た斜視図である。
【図２】他の実施形態の洗浄ノズルを示し、（ａ）は切断面を斜め上方から見た斜視図であり、（ｂ）は斜め上方から見た斜視図であり、（ｃ）は斜め下方から見た斜視図である。
【図３】更に他の実施形態の断面図である。
【図４】局部洗浄装置の概略全体斜視図である。
【図５】ノズルの斜視図である。
【図６】洗浄ノズルの説明図であり、（ａ）は洗浄ノズルのノズル先端部が没入している状態の説明図であり、（ｂ）は洗浄ノズルのノズル先端部が伸びた状態の説明図である。
【図７】従来の洗浄ノズルの斜視図であり、（ａ）は斜め下方から見た斜視図であり、（ｂ）は斜め上方から見た斜視図である。
【符号の説明】
１１  洗浄ノズル
２    流水路
２０  噴出口
３０  取入れ口
４    庇部
【図１】
2004353206.tif 000003
【図２】
2004353206.tif 000004
【図３】
2004353206.tif 000005
【図４】
2004353206.tif 000006
【図５】
2004353206.tif 000007
【図６】
2004353206.tif 000008
【図７】
2004353206.tif 000009